(57)【特許請求の範囲】
【請求項１】
右目画像と左目画像との３次元（３Ｄ）投射のためのシステムであって、
前記右目画像を伝送するため、少なくとも第１レンズ要素の前にある第１リニア偏光板であって、第１偏光軸方向を有する前記第１リニア偏光板と、
前記左目画像を伝送するため、少なくとも第２レンズ要素の前にある第２リニア偏光板であって、第２偏光軸方向を有する前記第２リニア偏光板と、
前記第１レンズ要素の後にある第１出力フィルタ構成であって、第３リニア偏光板と第１の１／４波遅延器との少なくとも１つを有する前記第１出力フィルタ構成と、
前記第２レンズ要素の後にある第２出力フィルタ構成であって、第４リニア偏光板と第２の１／４波遅延器との少なくとも１つを有する前記第２出力フィルタ構成と、
を有し、
前記第１及び第２リニア偏光板は、少なくとも前記第１及び第２レンズ要素に到達する光束を限定するよう構成されるシステム。
【請求項２】
前記第１及び第２リニア偏光板は、反射型偏光板である、請求項１記載のシステム。
【請求項３】
前記第１及び第２レンズ要素のそれぞれに到達する光束は、前記第１及び第２リニア偏光板のそれぞれに入射する光束の量の約１／２である、請求項１又は２記載のシステム。
【請求項４】
前記第３リニア偏光板は、前記第１偏光軸方向と実質的にパラレルな第３偏光軸方向を有し、
前記第４リニア偏光板は、前記第２偏光軸方向に実質的にパラレルな第４偏光軸方向を有する、請求項１記載のシステム。
【請求項５】
前記第３及び第４リニア偏光板は、吸収型偏光板である、請求項１乃至４の何れか一項記載のシステム。
【請求項６】
前記第１及び第２リニア偏光板は、前記第１偏光軸方向が前記第２偏光軸方向に直交する又はパラレルである、という２つの構成の１つにおいて提供される、請求項１乃至５の何れか一項記載のシステム。
【請求項７】
前記第１偏光軸方向は、前記第２偏光軸方向に直交する、請求項１乃至５の何れか一項記載のシステム。
【請求項８】
前記第１偏光軸方向に関して、時計回りに４５°又は反時計回りに４５°の一方に方位付けされた第１進相軸を有する前記第１の１／４波遅延器と、
前記第２偏光軸方向に関して、時計回りに４５°又は反時計回りに４５°の他方に方位付けされた第２進相軸を有する前記第２の１／４波遅延器と、
をさらに有する、請求項１乃至５の何れか一項記載のシステム。
【請求項９】
当該システムは、リニア偏光された光又は円偏光された光の１つを用いて右目画像を投射するよう構成される、請求項１乃至７の何れか一項記載のシステム。
【請求項１０】
当該システムは、前記第２偏光軸方向に直交する前記第１偏光軸方向によって、リニア偏光された光を用いて右目画像と左目画像とを投射するよう構成される、請求項１乃至６の何れか一項記載のシステム。
【請求項１１】
当該システムは、時計回り又は反時計回りに円偏光された光の一方の光を用いて前記右目画像を投射し、時計回り又は反時計回りに円偏光された光の他方を用いて前記左目画像を投射するよう構成される、請求項１乃至１０の何れか一項記載のシステム。
【請求項１２】
右目画像と左目画像との３次元（３Ｄ）投射のための方法であって、
第１リニア偏光板と、前記第１リニア偏光板の後に配置された少なくとも第１レンズ要素とを介し前記右目画像を伝送するステップと、
第２リニア偏光板と、前記第２リニア偏光板の後に配置された少なくとも第２レンズ要素とを介し前記左目画像を伝送するステップと、
前記第１レンズ要素の後にある第１出力フィルタ構成であって、第３リニア偏光板と第１の１／４波遅延器との少なくとも１つを有する前記第１出力フィルタ構成を介し前記右目画像を伝送するステップと、
前記第２レンズ要素の後にある第２出力フィルタ構成であって、第４リニア偏光板と第２の１／４波遅延器との少なくとも１つを有する前記第２出力フィルタ構成を介し前記左目画像を伝送するステップと、
を有し、
前記第１及び第２リニア偏光板は、各自の第１及び第２偏光軸方向により特徴付けされた光を伝送し、前記第１及び第２レンズ要素に到達する光束を限定するよう構成される方法。
【請求項１３】
前記第１及び第２リニア偏光板は、反射型偏光板である、請求項１２記載の方法。
【請求項１４】
前記第１及び第２レンズ要素のそれぞれに到達する光束を、前記第１及び第２リニア偏光板のそれぞれに入射する光束の量の約１／２に限定するステップをさらに有する、請求項１２又は１３記載の方法。
【請求項１５】
前記第１偏光軸方向により実質的に特徴付けされる光を伝送するため、前記第３リニア偏光板を方位付けするステップと、
前記第２偏光軸方向により実質的に特徴付けされる光を伝送するため、前記第４リニア偏光板を方位付けするステップと、
をさらに有する、請求項１２記載の方法。
【請求項１６】
前記第３及び第４リニア偏光板は、吸収型偏光板である、請求項１２乃至１５の何れか一項記載の方法。
【請求項１７】
前記第１偏光軸方向が前記第２偏光軸方向に直交する又はパラレルである、という２つの構成の１つにおいて前記第１及び第２リニア偏光板を方位付けするステップをさらに有する、請求項１２乃至１６の何れか一項記載の方法。
【請求項１８】
前記第２偏光軸方向に直交するよう前記第１偏光軸方向を提供するステップをさらに有する、請求項１２乃至１７の何れか一項記載の方法。
【請求項１９】
前記第１偏光軸方向に関して、時計回りに４５°又は反時計回りに４５°の一方に前記第１の１／４波遅延器の第１進相軸を方位付けするステップと、
前記第２偏光軸方向に関して、時計回りに４５°又は反時計回りに４５°の他方に前記第２の１／４波遅延器の第２進相軸を方位付けするステップと、
をさらに有する、請求項１２乃至１６の何れか一項記載の方法。
【請求項２０】
リニア偏光された光又は円偏光された光の１つを用いて右目画像を投射するステップをさらに有する、請求項１２乃至１８の何れか一項記載の方法。
【請求項２１】
前記第２偏光軸方向に直交する前記第１偏光軸方向によって、リニア偏光された光を用いて右目画像と左目画像とを投射するステップをさらに有する、請求項１２乃至１７の何れか一項記載の方法。
【請求項２２】
時計回り又は反時計回りに円偏光された光の一方の光を用いて前記右目画像を投射し、時計回り又は反時計回りに円偏光された光の他方を用いて前記左目画像を投射するステップをさらに有する、請求項１２乃至２１の何れか一項記載の方法。
【発明の詳細な説明】
【技術分野】
【０００１】
本出願は、参照することによってその全体がここに援用される、２００９年９月１１日に出願された米国仮出願第６１／２４１，８４２号“Ｍｅｔｈｏｄ  ａｎｄ  Ｓｙｓｔｅｍ  ｆｏｒ  Ｔｈｒｅｅ−Ｄｉｍｅｎｓｉｏｎａｌ（３Ｄ）  Ｐｒｏｊｅｃｔｉｏｎ”の優先権を主張する。
【０００２】
本出願は、参照することによってその全体がここに援用される、２００９年１２月１５日に出願されたＰＣＴ特許出願ＰＣＴ／ＵＳ０９／００６５５７“Ｉｍｐｒｏｖｅｄ  Ｏｖｅｒ−Ｕｎｄｅｒ  Ｌｅｎｓ  ｆｏｒ  Ｔｈｒｅｅ  Ｄｉｍｅｎｓｉｏｎａｌ  Ｐｒｏｊｅｃｔｉｏｎ”に関する主題を含む。
【０００３】
本発明は、３次元（３Ｄ）プレゼンテーションのための画像を投射するシステム及び方法に関する。
【背景技術】
【０００４】
３次元（３Ｄ）フィルムの現在の波が人気を獲得しつつあり、３Ｄデジタル映画投射システムの利用を容易にすることによって可能にされる。しかしながら、デジタルシステムの普及の速さは、部分的には関係する相対的に高いコストのため、需要に追いつくのに十分でない。初期の３Ｄフィルムシステムは、ミスコンフィグレーション、低輝度及びピクチャの変色を含む様々な技術的困難を受けてきたが、それらはデジタル映画アプローチよりかなり安価であった。１９８０年代には、Ｃｈｒｉｓ  Ｃｏｎｄｏｎにより設計及び特許（米国特許第４，４６４，０２８号）されたレンズ及びフィルタを利用する３Ｄフィルムの波が米国などにおいて現れてきた。Ｃｏｎｄｏｎに対する他の改良が、Ｌｉｐｔｏｎにより米国特許第５，４８１，３２１号などにより提案された。両方の文献の主題は、参照することによりその全体がここに援用される。
【０００５】
１つのレンズ構成は、デュアルレンズ構成（例えば、一方の目に画像を投射する上方レンズと、他方の目に画像を投射する下方レンズとなど）を利用して、フィルムの同一ストリップ上に互いに上下に配置された立体画像ペアの左目画像と右目画像とを同時に投射する。左目画像と右目画像とは、別々のフィルタ（例えば、偏光板やカラーフィルタなど）を備えた各自のレンズ構成を介し各画像を通すことによって符号化される。各レンズ構成のフィルタは、対応する左目及び右目復号化フィルタ（ビューイングフィルタとも参照されうる）を有する視聴者が装着する眼鏡が左目ビューイングフィルタを介し投射された左目画像のみを観察し、右目ビューイングフィルタを介し投射された右目画像のみを観察するように、各自の左目又は右目画像を符号化する。
【０００６】
しかしながら、これら従来のフィルムベースの３Ｄシステムの偏光板及び他の要素（レンズを含む）は、これらのシステムにおいて典型的に使用される光源からの高い放射フラックスに晒されると、しばしばオーバヒート及び故障となる。この結果、このような投射システムは、偏光板及び他の要素の１以上の頻繁な置換により及び／又は低減された輝度により動作しなければならない。一部のシステムはオーバヒートを低減するため投射レンズ又は偏光板の前方に赤外線又は紫外線ブロッキングフィルタを搭載するが、このような手段は問題を完全には排除することはできない。
【発明の概要】
【０００７】
本発明の一態様は、左目画像と右目画像との３次元（３Ｄ）投射システムを提供する。本システムは、右目画像を伝送するため、少なくとも第１レンズ要素の前にある第１リニア偏光板であって、第１偏光軸方向を有する第１リニア偏光板と、左目画像を伝送するため、少なくとも第２レンズ要素の前にある第２リニア偏光板であって、第２偏光軸方向を有する第２リニア偏光板とを有する。第１及び第２リニア偏光板は、少なくとも第１及び第２レンズ要素に到達する光束を限定するよう構成される。
【０００８】
本発明の他の態様は、右目画像と左目画像との３次元（３Ｄ）投射のための方法であって、第１リニア偏光板と、第１リニア偏光板の後に配置された少なくとも第１レンズ要素とを介し右目画像を伝送するステップと、第２リニア偏光板と、第２リニア偏光板の後に配置された少なくとも第２レンズ要素とを介し左目画像を伝送するステップとを有する。第１及び第２リニア偏光板は、各自の第１及び第２偏光軸方向により特徴付けされた光を伝送し、第１及び第２レンズ要素に到達する光束を限定するよう構成される。
【図面の簡単な説明】
【０００９】
本発明の教示は、添付した図面に関して以下の詳細な説明を考慮することによって容易に理解できる。
【図１】図１は、本発明の一実施例によるデュアルレンズ及び偏光構成を利用した立体視フィルム投射システムを示す。
【図２Ａ】図２Ａは、本発明の一実施例によるデュアルレンズ及び偏光構成を利用した立体視フィルム投射システムを示す。
【図２Ｂ】図２Ｂは、本発明の他の実施例によるデュアルレンズ及び偏光構成を利用した立体視フィルム投射システムを示す。  理解を容易にするため、可能である場合には、図面に共通する同一の要素を示すため、同一の参照番号が使用されている。図面はスケーリングされておらず、１以上の特徴が簡単化のため拡張又は縮小されている可能性がある。
【発明を実施するための形態】
【００１０】
本発明の一態様は、熱に敏感な光学素子（例えば、レンズ、リニア偏光板、複屈折１／４波遅延器など）が光源からの高い放射フラックスに晒されるのを保護するため、３Ｄフィルムと投射レンズシステムとの間に配置された１以上の反射偏光板を有する改良されたシングルプロジェクタデュアルレンズ３次元（３Ｄ）フィルム投射システムを提供する。レンズシステムに入る放射エネルギーを低減することによって、光学素子のオーバヒートは低減され、システムがより少ないコンポーネント不具合によるより高い輝度又は照度により動作することを可能にする。
【００１１】
本発明の実施例は、一方が左目用で一方が右目用の立体視ペアの２つの画像のそれぞれを同時に投射するため、デュアル（立体視など）レンズシステムを備えた単独の標準的な２次元（２Ｄ）フィルムプロジェクタに適用可能である。デュアルレンズの左目半分と右目半分とのそれぞれを備えたフィルタインラインが、対応する左目及び右目画像を符号化するのに利用され、これにより、これらの画像がスクリーンに投射されるとき、デュアルレンズ及び偏光システムのものに関して適切な方位を有するフィルタを備えた視聴者が装着する眼鏡が、左目の左目画像と右目の右目画像とを知覚する。ここでの本発明の説明に使用されるように、“フィルタ”は、リニア又は円状に関係なく、リニア偏光板及び１／４波遅延器を有するサーキュラ偏光板を備えた偏光板を意味する。本発明の１以上の態様はまた、左目及び右目の各画像を投射する２つの連係したプロジェクタが使用される特別な３Ｄ投射システム、又は投射レンズの直前に反射偏光板を設けるなどによるデジタル映画プロジェクタに適用可能である。
【００１２】
図１は、一部のみが図示される３５ｍｍ投射プリントフィルムなど、映画フィルム１０１からの立体視画像を投射するのに適した本発明の３Ｄフィルム投射システム１００の一実施例を示す。３Ｄフィルム１０１は、各ペアがシーンの左目画像と右目画像とに対応する、Ｒ１及びＬ１、Ｒ２及びＬ２（右目画像１０２及び左目画像１０３とラベル付けされる）及びＲ３及びＬ３などの立体視画像ペアを含む。右目画像と左目画像とは、立体視ペアの右目画像と左目画像とがフレーム内で上下に配置される上下構成において、フィルムに沿って交互に配置される。図１に示されるように、立体視画像ペア１０２，１０３は、フィルム保持枠の中心に配置され、投射用の開口板１１０により構成される。投射システムの反転性質のため、フィルム１０１には、例えば、画像のトップ１０２Ｔ，１０３Ｔの上方に設けられた画像１０２，１０３のボトム１０２Ｂ，１０３Ｂなど、フレーム内で反転された画像が提供される。スプロケット送り孔１０５の並びが、フィルムを進めるためフィルム１０１の各エッジに沿って提供され、デジタルフォーマットであってもよい光サウンドトラック（図示せず）が、典型的にはフィルム上に提供される。
【００１３】
右目画像Ｒ２及び左目画像Ｌ２は、画像Ｒ２，Ｌ２がスクリーン１５０上に投射されるように、フィルム後方に、すなわち、デュアルレンズシステム１３０から離れたフィルムの反対側に配置された光源及び集光器（図示せず、まとめて発光体と呼ぶ）により同時に照射される。
【００１４】
投射システム１００は、デュアルレンズシステム１３０及び１以上の偏光板又はフィルタを有する。デュアルレンズシステム１３０は、レンズ本体１３１、入射エンド１３３及び出射エンド１３４を有する。レンズシステム１３０は、迷光が２つのレンズ構成間で交差することを防ぐ隔壁１３２により分離された上半分及び下半分（２つのレンズ構成と呼ばれる）を有する。画像Ｒ２などの右目画像を投射するのに典型的に利用される上方レンズ構成は、入射レンズ要素１３６及び出射レンズ要素１３８を有する。画像Ｌ２などの左目画像を投射するのに典型的に利用される下方レンズ構成は、入射レンズ要素１３７及び出射レンズ要素１３９を有する。簡単化のため、デュアルレンズシステム１３０の各半分の内部の他のレンズ要素及び開口絞りは図示されない。例えば、デュアルレンズシステム１３０の出射エンドに続く拡大レンズなどのさらなるレンズ要素が、システムの適切な調整に必要であるときは追加されてもよい。投射スクリーン１５０は、フィルムの投射された右目画像及び左目画像が中心とされる中心ポイント１５１を有する。
【００１５】
右目画像Ｒ２（１０２）及び左目画像Ｌ２（１０３）は、１つの画像からの光がレンズシステム１３０の誤った半分に入射する際の迷光の以降のマスキングを実現するギャップ１０４（“イントラフレームギャップ”としても知られる）によりフィルム上で分離される。
【００１６】
適切に配置された投射システムによって、投射された画像が実質的に重なり合うように、すなわち、各画像のトップ１０２Ｔ，１０３Ｔがスクリーンのトップ１５２に又は近傍に投射され、ボトム１０２Ｂ，１０３Ｂがスクリーンのボトムに又は近傍に投射されることによって、投射された各画像の中心がスクリーンの中心１５１に実質的に配置されるように、右目画像１０２及び左目画像１０３がスクリーン１５０上に投射される。
【００１７】
投射システム１００はまた、トップのリニア偏光板１４２が光軸ＵＵ’に沿ってレンズシステム１３０の上半分に揃えられ、ボトムのリニア偏光板１４３が光軸ＬＬ’に沿ってレンズシステム１３０の下半分に揃えられることによって、レンズシステム１３０の後に（すなわち、出力エンド１３４に）配置された偏光構成１４０を有する。リニア偏光板１４２の偏光軸１４４は、投射された右目画像の偏光特性を決定又は規定し（例えば、右目画像を投射するのに利用される光が垂直又は水平偏光される否かなど）、リニア偏光板１４３の偏光軸１４５が、投射された左目画像の偏光特性を規定する。リニア偏光板が右目及び左目の各画像を符号化するのに利用されるとき、投射された左目画像は、投射された右目画像のものと直交する偏光方向を有する。図１に示されるように、偏光板１４２は、投射された右目画像の垂直偏光を提供し、偏光板１４３は、投射された左目画像の水平偏光を提供する。他の例では、右目画像は水平偏光された光により投射でき、左目画像は垂直偏光された光により投射できる。
【００１８】
投射スクリーン１５０は、金属表面が光を散乱するが、実質的に（反射されるが）それの偏光を保持する銀幕などの偏光保存スクリーンである。従って、偏光板１４２，１４３により投射された右目画像及び左目画像に与えられた各偏光は、スクリーン１５０からの反射後も不変に維持される。
【００１９】
投射された立体視画像を適切に見るため、視聴者１６０には、偏光構成１４０のものに対応する方位を備えたリニア偏光板を有する３Ｄ眼鏡が提供される。従って、３Ｄ眼鏡の右目部分１７１は、偏光板１４２と同じ方位を有する偏光軸１７３を備えたリニア偏光板１７２を有し、３Ｄ眼鏡の左目部分１８１は、偏光板１４３と同じ方位を有する偏光軸１８３を備えたリニア偏光板１８２を有する。
【００２０】
図１の実施例では、リニア偏光板１２４，１２５を含む偏光構成１２０は、入射レンズ１３６，１３７の前に設けられる。これらの偏光板がレンズシステム１３０の前に配置され、いくつかの実施例では、投射システムの照射光に遭遇する複数の偏光板の第１偏光板を表すため、それらはまた“プレ偏光板”と呼ばれてもよい。本例では、偏光板１２４，１２５は共に反射型偏光板であり、それは、リニア偏光板１２４又は１２５に入光があると、一方の偏光成分は偏光板の方位に従って伝送され、他方の偏光成分（伝送された成分と直交する方位を有する）は反射されることを意味する。構成１２０はさらに、レンズシステム１３０の入射エンド１３３の近傍に配置され、レンズシステムの上半分と下半分とに関して揃えられた偏光板１２４，１２５を保持するためのホルダ又はブラケット（図示せず）を有する。本実施例では、偏光板１２４は、偏光板１４２により伝送されるものと同じ偏光成分を伝送するよう構成され、偏光板１２５は、偏光板１４３により伝送されたものと同じ偏光成分を伝送するよう構成される。
【００２１】
一例では、偏光板１２４，１２５は、ＵＴのＯｒｅｍのＭＯＸＴＥＣＨ，Ｉｎｃ．により製造されたものなど、配線グリッド偏光板である。これらの配線グリッド偏光板の詳細は、参照することによりその内容のすべてがここに含まれる、Ｐｅｒｌｉｎｓらによる米国特許第６，１２２，１０３号に記載される。
【００２２】
光源からの光は、約ｆ／２のｆナンバーを有する発光体（図示せず）によりフォーカスされ、開口板１１０の開口を実質的に充填し、入射エンド１３３に対して収束しながらフィルム１０１を通過する。良好に配置されたプロジェクタでは、光はレンズシステム１３０の内部の領域、すなわち、開口絞りに収束する。
【００２３】
図１に示されるように、光ビーム又は成分１２２は、フィルム１０１上の右目画像１０２を通過するものなど、光線束の中心ラインを表す。光ビーム１２２が偏光板１２４に入射すると、ビーム１２２の一部は拒絶され、すなわち、光ビーム１２６として反射される。この場合、偏光板１２４は、光ビーム１２２の水平偏光された成分の大部分を反射しながら、垂直偏光された光を伝送するよう構成される。この構成では、放射エネルギーの約１／２、又は同様に入射光の光束の１／２が反射される。偏光板１２４を通過する光ビーム１２２の残りの部分は、入射レンズ要素１３６を介しレンズシステム１３０に入射するほぼ垂直偏光される光１２８である。レンズ要素１３８から出射する光ビーム１２８は、例えば、幾何光学の性質及び／又は偏光板１２４からの偏光漏れの結果としての偏光の若干の回転などによって、水平偏光された成分のわずかな部分を有してもよい。
【００２４】
偏光板１４２が垂直偏光された光を通過するよう構成されるため、それはクリーンアップ偏光板として機能し、光ビーム１４８をスクリーン１５０上に投射された右目画像を形成するため実質的に（例えば、ほぼ１００％など）垂直偏光する。他の実施例では、リニア偏光板１４２は、例えば、光ビーム１２８の水平偏光成分の量が有意でない場合、又はパフォーマンスの観点から許容できるとみなされる場合などには、図１から省略されてもよい。
【００２５】
左目画像投射のケースでは、左目画像１０３を照射する光ビーム１２３は偏光板１２５に入射し、偏光板１２５は、光ビーム１２７として垂直偏光成分を反射し、これにより、光ビーム１２３の放射エネルギーの約１／２を拒絶する。入射光１２３の残りの部分は、ほぼ水平偏光された光１２９として偏光板１２５を通過し、入射レンズ要素１３７を介しレンズシステム１３０に入射する。レンズ要素１３９から出射した光ビーム１２９もまた、垂直偏光された成分の小さな部分を有してもよい。偏光板１４３は水平偏光された光を通過するよう構成されるため、それはクリーンアップ偏光板として機能し、光ビーム１４９をスクリーン１５０上に投射された左目画像を形成するため実質的に（例えば、ほぼ１００％など）水平偏光される。所望される場合、再び、光ビーム１２９の垂直偏光成分の量が有意でない場合、又はパフォーマンスの観点から許容できるとみなされる場合などには、偏光板１４３は省略されてもよい。
【００２６】
従って、偏光構成１２０と、任意的には１４０とは、右目画像１０２を投射するための光成分が垂直偏光され、これにより、３Ｄ眼鏡の右目フィルタ１７２のみを介し観察可能であり、左目画像１０３が水平偏光された光により投射され、これにより、３Ｄ眼鏡の左目フィルタ１８２を介してのみ観察可能であることを保障する。
【００２７】
偏光板１２４，１２５の効果は、フィルム１０１からレンズシステム１３０に通過する入射エネルギーの約１／２など、放射エネルギー又は光束の一部を拒絶することであり、これにより、そうでない場合に偏光板１４２，１４３により吸収される放射エネルギーの有意な部分を低減する。偏光板１２４，１２５の利用は、レンズシステム１３０内の要素により吸収される放射エネルギーを約１／２減少されるだけでなく（すなわち、偏光板１２４，１２５の存在は、これらがないときと比較してレンズ要素によって吸収されるエネルギーを２のファクタだけ低減する）、偏光板１４２，１４３により吸収されるエネルギーを１／２以上低減する。これは、偏光板１４２，１４３が配置された偏光を有するエネルギーの大部分を伝送するためである。特定の実施例では、偏光板１２４，１２５の利用は、偏光板１４２，１４３により吸収される放射エネルギーを７０％以上低減するようにしてもよい。偏光板１４２，１４３は、交差した偏光を有するエネルギーの大部分を吸収するが、偏光板１２４，１２５は、これの多くをすでに排除している。この結果、偏光板１４２，１４３は、発光体（図示せず）の輝度が増加したとしても、従来のシステムよりはるかに低温で実行される。
【００２８】
偏光板１２４，１２５により拒絶される光ビーム１２６，１２７は散乱することが許容されてもよく、又は偏光板１２４，１２５によって光ビーム１２６，１２７のほとんどが漏れでない表面又はキャビティであるビームダンプ（図示せず）に方位付けされてもよい（例えば、適切な角度により偏光板を方位付けすることによって）。
【００２９】
偏光板１２４，１２５は、同一平面上となるよう構成されてもよく、単一の基板から製造されてもよい。これらのケースでは、拒絶された光ビーム１２６，１２７は共通の方向に反射される。
【００３０】
偏光板１２４，１２５は、レンズシステム１３０の軸の実質的に法線となる平面にあってもよいが、何れのケースでも、迷光がスクリーン１５０に以降に到達するか、又はレンズシステム１３０によりスクリーン１５０上に投射されるように、フィルム１０１の一部、開口板１１０の一部、投射システムの他の部分又はこれらの組み合わせを照射することによって、拒絶された光１２６，１２７（フィルム１０１上の画像１０２，１０３に対して逆方向に方位付け可能である）がスクリーン１５０上でフレアを生じさせないことが考慮されるべきである。
【００３１】
図１の実施例では、視聴者１６０により装着される３Ｄ眼鏡の方位が、傾きなどの頭の動きなどによって実質的に垂直に維持されない場合、右目画像と左目画像との間のクロストークが容易に生じうる。この制約は、図２Ａ及び２Ｂを参照して説明される、立体視画像を投射するため円偏光される光を利用することによって緩和できる。
【００３２】
円偏光される立体視ディスプレイでは、右目画像及び左目画像は、反対の円偏光によって、すなわち、時計回り（ＣＷ、右回りとも呼ばれる）及び反時計回り（ＣＣＷ、左回りとも呼ばれる）に投射される。投射された立体視画像は、右目画像及び左目画像のためのそれぞれの解析手段として機能する２つの円偏光板を備えた３Ｄ眼鏡ペア、すなわち、一方がＣＷ偏光光のみを通過し、他方がＣＣＷ偏光光のみを通過する３Ｄ眼鏡ペアを介し視聴者により観察される。
【００３３】
円偏光板は、リニア偏光板及び１／４波遅延器を組み合わせることによって形成される。１／４波遅延器は、当該遅延器が特定の波長λについて進相軸と揃えられた偏光を有する光のｎλの光路長と（ただし、ｎは正の数であり、λは入射光の波長である）、遅相軸と揃えられた偏光を有する光の（ｎ＋１／４）λの光路長とを生じさせる厚さを有するように、進相軸及び遅相軸を有する複屈折物質から構成され、これにより、遅相軸に揃えられた偏光は、進相軸に揃えられた偏光に対してλ／４又は９０°遅延するようになる。
【００３４】
リニア偏光板及び１／４波遅延器がペア化又は組み合わされると、１／４波遅延器がリニア偏光板を介し観察されるとき（すなわち、リニア偏光板が視聴者と１／４波遅延器との間にあるとき）、時計回りの円偏光板は、リニア偏光板の偏光軸から時計回りに４５°となるよう１／４波遅延器の進相軸を方位付けすることによって形成される。反時計回りの円偏光板は、リニア偏光板の偏光軸から反時計回りに４５°になるように１／４波遅延器の進相軸を方位付けすることによって形成される。
【００３５】
図２Ａは、円偏光される光が立体視画像を投射するため投射システム２００において利用される本発明の一実施例を示す。投射システム２００は、リニア偏光構成２２０、レンズシステム１３０及び円偏光構成２４０を有する。
【００３６】
リニア偏光構成２２０は、レンズシステム１３０及び円偏光構成２４０におけるものなどの他の光要素に到達する光束又は放射エネルギーを制限するため、それぞれ入射レンズ１３６，１３７の前方に配置された２つのリニア偏光板である上方偏光板２２４及び下方偏光板２２５を有する。一実施例では、偏光板２２４，２２５は、反射型偏光板である。図１の偏光構成と同様に、リニア偏光板２２４，２２５は、伝送された成分に直交する他の偏光成分を拒絶しながら、入射光の所与の偏光成分を伝送するよう構成される。偏光板２２４，２２５の機能及び特性は、図１の偏光板１２４，１２５について上述されたものと実質的に類似し、ここでは繰り返されない。偏光板２２４，２２５は、後述されるように、円偏光構成２４０と共に利用するのに適した各自の偏光成分を伝送するよう方位付けされる。
【００３７】
レンズシステム１３０の後に配置される円偏光構成２４０は、円偏光サブ構成２４１，２４２を有する。本例では、右目画像は、リニア偏光板２２４及び１／４波遅延器２４８により構成される反時計回り（ＣＣＷ）又は左回り円偏光板により符号化される。リニア偏光板２４４の偏光軸２４４Ｐは、偏光板２２４の偏光軸に実質的にパラレルである。１／４波遅延器２４８の進相軸２４８Ｆは、右目画像を投射するため、反時計回りの円偏光された光２５８を生成するよう垂直偏光軸２４４Ｐから反時計回りに４５°に方位付けされる（偏光板２４４を介し又はから観察されるように）。
【００３８】
左目画像は、リニア偏光板２４５及び１／４波遅延器２４９により構成される時計回り（ＣＷ）又は右回り円偏光板により符号化される。リニア偏光板２４５は、それの偏光軸２４５Ｐが偏光板２２５の偏光軸に実質的にパラレルになるように方位付けされる。１／４波遅延器２４９の進相軸２４９Ｆは、左目画像を投射するため、時計回りに円偏光された光２５９を生成するよう垂直偏光軸２４５Ｐから時計回りに４５°になるよう方位付けされる（偏光板２４５を介し又はから観察されるように）。各円偏光板又はリニア偏光板及び１／４波遅延器の組み合わせは、すなわち、（２４４，２４８）及び（２４５，２４９）はまた、符号化偏光フィルタとも呼ぶことができる。
【００３９】
いくつかの実施例では、右目円偏光サブ構成２４１は、リニア偏光板２４４及び／又は１／４波遅延器２４８を保護するため、１以上の透過なカバープレート２４３を有し、左目円偏光板２４２は、リニア偏光板２４５及び／又は１／４波遅延器２４９を保護するため、１以上の透過なカバープレート２４３を有する。図２Ａの例では、１つのカバープレート２４３が、レンズシステム１３０とリニア偏光板２４４との間に配置され、他のカバープレート２４３が、当該符号化円偏光板の構成要素の各表面を保護するため、１／４波遅延器２４８の後に設けられる。同様に、他の符号化円偏光板の構成要素２４５，２４９を保護するため、２つのカバープレート２４３が設けられる。カバープレート２４３は、ガラスなどの物質から形成され、偏光フィルタの伝送特性に影響を与えない光学特性を有する。
【００４０】
偏光構成２４０の各種構成要素を搭載するためのホルダ又は接着剤は図示されないが、通常の知識の範囲内である。これら構成要素の方位が維持され、構成要素の熱膨張のための適切な手段が設けられることが考慮されるべきである。右目及び左目円偏光サブ構成２４１，２４２の構成要素は、単一の物質のスタックに積層されてもよく（例えば、光学接着剤などにより）、又は１以上のエアギャップを有してもよい。特に、偏光板２４４，２４５の表面と何れか隣接する要素の表面との間にエアギャップを設けることは、放熱を向上させることができる。
【００４１】
３Ｄ投射用の投射システム２００を介した立体視画像の伝送は、図１について上述されたものと同様であり、以下に概略される。入射する照明光１２２，１２３の一部は、光ビーム２２８，２２９として示される垂直偏光光としてそれぞれ偏光板２２４，２２５により伝送される。入射光の各水平偏光成分は、光ビーム２２６，２２７として反射され、光ビーム２２６，２２７は、散乱することが許容されるか、ビームダンプ（図示せず）に導かれてもよい。一例では、入射光１２２の放射エネルギーの約１／２が偏光板２２４により拒絶され、入射光１２３の放射エネルギーの約１／２が偏光板２２５により拒絶される。
【００４２】
図１の偏光板１２４，１２５と同様に、偏光板２２４，２２５の存在は、そうでない場合に偏光板２４４，２４５により吸収される放射エネルギーの有意な減少をもたらす。これは、配置された偏光を有するエネルギーの大部分を伝送するため、レンズシステム１３０内の要素により吸収される放射エネルギーを約１／２減少させるだけでなく、偏光板２４４，２４５により吸収されるエネルギーを１／２以上減少させる。ある実施例では、偏光板２２４，２２５の利用は、偏光板２４４，２４５により吸収される放射エネルギーを７０％以上減少させることが可能である。この結果、偏光板２４４，２４５は、発光体（図示せず）の輝度が増加したとしても、従来のシステムと比較して投射光からはるかに少ない熱しか受けない。
【００４３】
偏光構成２２０からの垂直偏光光２２８，２２９はそれぞれ、レンズシステム１３０の上方及び下方レンズの半分に入射し、各出射レンズ要素２３８，２３９から出射する。図１に関して上述された理由のため、レンズシステム１３０から出射した光ビーム２２８，２２９は、水平偏光された成分のわずかな部分を有してもよい。垂直偏光光を伝送するよう構成された偏光板２４４，２４５は、クリーンアップ偏光板として機能し、光ビーム２２８，２２９を実質的に（例えば、ほぼ１００％など）垂直偏光する。その後、これらの垂直偏光光は、右目画像及び左目画像をスクリーン１５０に投射するため、各１／４波遅延器２４８，２４９により円偏光されたビーム２５８，２５９により伝送される。
【００４４】
他の実施例では、図２Ａのリニア偏光板２４４及び／又は偏光板２４５は、偏光板２２４，２２５が立体視投射用に要求される円偏光光を生成するため、各偏光の実質的にリニア偏光された光を提供可能である限り、所望される場合には省略できる（図１の上述した説明と同様に）。偏光板２２４，２２５と各自の１／４波遅延器２４８，２４９との間の適切な配置を実現するため、特別な考慮が必要とされる。しかしながら、このような構成（偏光板２４４，２４５が省略された）は、投射された画像のコーナー又はエッジの近傍のクロストークの増大などのパフォーマンスの低下を生じさせる可能性がある。
【００４５】
光ビーム２５８，２５９が偏光保存スクリーン１５０により反射されると、円偏光の方向が逆転される。従って、反時計回り（ＣＣＷ）の円偏光光２５８によるスクリーン１５０上に投射された右目画像は、スクリーン１５０からの反射に応答して時計回り（ＣＷ）に円偏光される。他方、光２５９により投射された左目画像は、ＣＷ円偏光光としてスクリーン１５０上に入射するが、ＣＣＷ偏光光としてスクリーン１５０から反射される。
【００４６】
投射された画像を３Ｄで見るため、視聴者２６０には、右目２７０が３Ｄ眼鏡の右目部分２７１によりカバーされるように、時計回り又は右回りの円偏光板を形成するため、偏光軸２７２Ｐを有するリニア偏光板２７２と進相軸方位２７４Ｆを有する１／４波遅延器２７４とを有する３Ｄ眼鏡が提供される。視聴者２６０の左目２８０は、反時計回り又は左回りの円偏光板を形成するため、偏光軸２８２Ｐを有するリニア偏光板２８２と、進相軸２８４Ｆを有する１／４波遅延器２８４とを有する３Ｄ眼鏡の左目部分２８１によりカバーされる。３Ｄ眼鏡の右目部分２７１のＣＷ円偏光板（ビューイング偏光フィルタとも呼ぶことができる）は、右目画像の観察を可能にするが、ＣＣＷ円偏光された左目画像の観察を可能にしない。同様に、左目画像は、左目部分２８１のＣＣＷ円偏光板を介し左目２８０により観察可能であるが、ＣＷ右目画像は観察可能でない。
【００４７】
３Ｄ眼鏡の各ビューイング偏光フィルタ（１／４波遅延器とリニア偏光板との組み合わせ）は、投射された右目画像又は左目画像の解析手段として効果的に機能する。例えば、投射された右目画像からの円偏光光は、１／４波遅延器２７４を介し右目ビューイングフィルタに入射し、リニア偏光板２７２に出射する。ビューイング偏光フィルタが符号化フィルタに関して適切に構成される場合、右目画像の光の大部分は伝送されることになる。
【００４８】
符号化偏光フィルタとビューイング偏光フィルタとの適切な構成によって、Ｒ２，Ｌ２などの立体視画像ペアは、所望の３Ｄ効果を有して観察可能である。これらの画像を投射及び観察するための円偏光の利用は、視聴者２６０により装着された３Ｄ眼鏡の方位の変化（頭の傾きなど）が右目画像と左目画像との間の認識可能なクロストーク効果を導入しないように、リニア偏光に基づき投射システムにおいて遭遇するクロストーク感度の問題を解決する。
【００４９】
システムパフォーマンス及び所望される３Ｄ観察結果は、符号化及びビューイング円偏光板の各種構成要素の方位により影響を受ける。システム構成の検討が後述される。
【００５０】
図２Ａのシステムでは、円偏光された光が、リニア偏光板２２４，２２５，２４４，２４５及び１／４波遅延器２４８，２４９に光を導くことによって、投射システムにおいて形成される。符号化偏光フィルタに関するビューイング偏光フィルタの相対的な方位は、最適な又は所望の結果など、異なる３Ｄ結果を提供するよう調整又は選択可能である。ここでは、ビューイング偏光フィルタと符号化偏光フィルタとの間の相対的な方位は、プロジェクタの符号化円偏光板に関するビューイング円偏光板、すなわち、ユニットとして（２７２，２７４）の相対的な回転を表す。例えば、右目ビューイング偏光板は、右目画像を伝送するのに最適なＣＷ円偏光光の最大伝送を提供する方位に回転可能である。しかしながら、それが他の方位に回転された場合、ＣＷ偏光光の伝送は低減される可能性がある。円偏光板セット（すなわち、２４１又は２４２などのエンコーダと２７１又は２８１などの解析手段）により通過又はブロックされる光量は、何れかの円偏光板の回転により若干しか影響を受けない。光を伝送するよう選択された円偏光板セットのいくつかは（例えば、２４１，２７１など）、円偏光板の相対的な回転に依存して７０〜９０％の伝送を提供する。同様に、ブロックするよう選択された円偏光板セットのいくつかは（例えば、２４１，２８１など）は、再び円偏光板の相対的な回転に依存して、約２０：１〜５０：１の絶滅率を提供するようにしてもよい。
【００５１】
この場合、提供される絶滅はビューイング円偏光板の回転に対して相対的に無反応であることが通常の誤解であり、このため、円偏光板の方向（例えば、右目は時計回りで、左目は反時計回りなど）が確定されると、符号化円偏光板におけるリニア偏光板（例えば、２２４／２４４及び２２５／２４５など）の方位を無頓着に又は任意に選択し、３Ｄ眼鏡のリニア偏光板（例えば、２７２，２８２など）の方位を独立に選択するようにしてもよい。しかしながら、このような任意の選択は、後述されるように、特定の構成、すなわち、最適な又はより良好なパフォーマンス結果を生じさせるプロジェクタのリニア偏光板とビューイング眼鏡との間の相対的な方位が存在するため、最適な３Ｄビューイング結果を提供しない可能性がある。
【００５２】
実際の１／４波遅延器は、波長の変動により理想的でない振る舞いを示す。すなわち、ある光の波長をちょうど９０°だけ遅延させるが、他の波長は９０°より若干大きく又は少なく遅延させる。この結果、プロジェクタの第１円偏光板と眼鏡の第２円偏光板（解析手段）との進相軸が同一方向に揃ったときに最も顕著となる変色が伝送において発生する可能性がある。この場合、進相軸の配置は、λ／２又は１８０°の合計の遅延を導き、１／４波遅延器が示す理想的でない乖離が二倍になる。例えば、遅延器が緑色の光のある波長について完全な９０°の１／４波遅延器であるが、赤色の光のある波長について８９°の遅延器となり、青色の光について９２°の遅延器となる場合、この二倍になることは、１７８°だけ赤色の光を遅延させ、１８４°だけ青色の光を遅延させることになる。この結果、３Ｄビューイング眼鏡のリニア偏光板において、赤色の光は緑色の光より大きく減衰し、青色の光はさらに大きく減衰する。これは、解析手段の遅延器を出射すると、ちょうど１８０°遅延された光の波長が再びリニア偏光され、伝送モードにおいて、リニア偏光板の偏光軸とパラレルになり、最小の減衰により伝送される（絶滅モードでは、遅延器を出射した光の偏光はリニア偏光の軸に垂直となり、絶滅は最大化される）。しかしながら、１８０°よりわずかに大きく又は小さく遅延された波長は、通過する遅延角度のコサインの絶対値に比例する成分を有するが、ブロックされる遅延角度のサインの絶対値に比例する成分を有する。従って、本例では、多くは伝送されるが、赤色と青色の両方の波長が、緑色の波長より若干大きな減衰を示すであろう。（絶滅モードでは、それは赤色と青色の波長のやや大きな漏れとなり、絶滅をやや低いものにする）。この構成では、フィルタは、黄色／緑色の色合いにより視聴者により近くされるような画像を染めるようである。絶滅では、これら同一の遅延器は、スペクトルの緑色の部分より赤色及び青色のより不良な漏れを表す若干マゼンタな色合いを生成するであろう。
【００５３】
しかしながら、この変色は、（プロジェクタの円偏光板などの）一方の１／４波遅延器の進相軸を、（３Ｄ眼鏡の円偏光板などの）他方の１／４波遅延器の遅相軸により方位付けすることによって、最小化又はほぼ排除することが可能であり、それは、一方の１／４波遅延器の進相軸を他方の１／４波遅延器の進相軸に直交させるよう方位付けすることと同じである。この構成によると、何れか所与の波長の偏光光は、進相軸を介しある遅延を受け、遅相軸を介し反対の遅延を受け、すべての波長において遅延がネットに相殺される（すなわち、０°）。これを実行することによって、２つの１／４波遅延器を通過した後（例えば、プロジェクタにおけるものと、その後の３Ｄ眼鏡における同一の立体視画像のための対応するものなど）、波長に関係なく、所与の偏光が同一の遅延を受けるのに保障され（すなわち、０°）、この点で、３Ｄ眼鏡の解析偏光板は、投射された画像を伝送又は絶滅するのに最適に実行可能である。
【００５４】
このような構成は（符号化偏光板の１／４波遅延器の進相軸がビューイング偏光板の１／４波遅延器の進相軸と揃えられる）、図２Ａに示され、例えば、進相軸２４８Ｆ，２４９Ｆがそれぞれ進相軸２８４Ｆ，２７４Ｆに直交に配置される。このペアは３Ｄ眼鏡の左目フィルタ２８１の進相軸（１／４波遅延器２８４の２８４Ｆ）に直交する進相軸（１／４波遅延器２４８の２４８Ｆ）を有する右目投射フィルタ２４１に対応し、これは、当該ペアが最大絶滅のために構成され、これにより、左目２８０は右目画像１０２の投射のほとんど又はすべてを見ることができない。しかしながら、右目投射フィルタ２４１の進相軸（２４８Ｆ）は、右目眼鏡フィルタ２７１の進相軸（２７４Ｆ）に直交しない。従って、右目２７０は、右目画像１０２の投射を見ることができるが、それは若干の変色により染められることになる。
【００５５】
図２Ａに示されるように、各符号化フィルタのリニア偏光板２４４，２４５は、共通の偏光方位を有し、すなわち、これらのリニア偏光板の偏光軸２４４Ｐ，２４５Ｐは、同一方向に揃えられるか、互いにパラレルとされる。同様に、３Ｄビューイング眼鏡の右目部分２７１及び左目部分２８１のリニア偏光板２７２，２８２はまた、共通の方位を有し、すなわち、それら各自の偏光軸２７２Ｐ，２８２Ｐは同一方向を有する。
【００５６】
さらに、プロジェクタのリニア偏光板２４４，２４５の偏光軸２４４Ｐ，２４５Ｐは、プロジェクタのリニア偏光板２７２，２８２の偏光軸２７２Ｐ，２８２Ｐに直交する。符号化及びビューイングフィルタのリニア偏光方位の上記組み合わせは、図２Ａに示されるように、円偏光板のすべての１／４波遅延器の進相軸２５０，２５１，２７５，２８５が方位付けされるよう制限する。
【００５７】
結果として得られるシステム構成は（すなわち、符号化及びビューイング偏光板のすべての構成要素の特定の方位）、ブロックされた偏光がすべての波長においてネットで０°の遅延を受けるため、すべての波長について最適な絶滅特性を提供する。しかしながら、この構成はまた、伝送された偏光が、スペクトルのエンドに向かった乖離を増大させることによりスペクトルの中心近傍において１８０°に近いおよそのネットの遅延を生じさせる波長に依存した二重の遅延を受けるため、非最適伝送特性を提供する。
【００５８】
この構成は、スペクトルにおける最適化された絶滅により最小限のクロストークを有する。残りのクロストークの近くを少なくとも部分的に軽減するのに利用可能な技術が存在する。このような技術の一例は、Ｒｅｄｍａｎｎらによる米国特許出願第１２／８４６，６７６号“Ｍｅｔｈｏｄ  ａｎｄ  Ｓｙｓｔｅｍ  ｆｏｒ  Ｃｒｏｓｓｔａｌｋ  Ｃｏｒｒｅｃｔｉｏｎ  ｆｏｒ  ３Ｄ  Ｐｒｏｊｅｃｔｉｏｎ”に記載されている。
【００５９】
図２Ａのシステム構成はまた、多くのデジタル３Ｄ投射システムにおいて一般に利用される構成と両立する。この一般に利用されるシステムは、カリフォルニア州のＢｅｖｅｒｙ  ＨｉｌｌｓのＲｅａｌＩＤによるＲｅａｌＩＤ  Ｃｉｎｅｍａ  Ｓｙｓｔｅｍ（３Ｚ−Ｓｃｒｅｅｎ２として以前に販売された）などのダイナミック偏光フィルタの１つを備えたベルギーのＢａｒｃｏ  Ｎ．Ｖ．によるＤＰ２０００（又は他のデジタル映画プロジェクタ）などの単一レンズ立体視デジタル映画プロジェクタを有する。より良好なパフォーマンス結果をもたらしうる他の構成があるが、図２Ａの構成の採用は、それが市販され広く利用される支配的なタイプのビューイング３Ｄ眼鏡と両立しているという効果を有する。
【００６０】
他の可能なシステム構成は、パフォーマンス特性に対する符号化及びビューイング偏光板の相対的な方位の効果を考慮することによって評価可能である。例えば、パフォーマンス基準として絶滅率（例えば、所望の偏光対所望されない偏光の伝送など）及び伝送される光の変色を利用する場合、最適な技術的選択は共通の方位を共有するように符号化円偏光板の２つの１／４波遅延器を配置することであると結論付けされてもよい。このような構成はまた、符号化偏光板の２つのリニア偏光板が直交して方位付けされることを要求するであろう。符号化偏光板の構成要素の方位のこの組み合わせはまた、図２Ａに示されるものと異なる、３Ｄ眼鏡のビューイングフィルタ方位に対する対応する方位変化を要求するであろう。
【００６１】
図２Ｂは、システム２００と異なる構成を備えた投射システム３００を示す。システム３００は、システム２００の対応する偏光板と同じ性質及び機能を備えるリニア偏光板２２４，３２５を備えたリニア偏光構成３２０を有する。符号化偏光構成３４０は、左目画像を符号化するための符号化偏光サブ構成３４２と、右目画像を符号化するための偏光サブ構成２４１とを有する。
【００６２】
図２Ａの構成と異なって、リニア偏光板３２５は、水平偏光光３２９を伝送するよう方位付けされ、リニア偏光板３４５はまた、レンズシステム３００から出射する水平偏光光を伝送するよう方位付けされる。左目画像を符号化するため時計回りの円偏光光を生成するため、１／４波遅延器３４９は、それの進相軸３４９Ｆがリニア偏光板３４５の偏光軸３４５Ｐから時計回りに４５°に回転されるように方位付けされる（偏光板３４５を介し又はから見えるように）。サブ構成２４１の偏光板２２４及び構成要素の方位は、図２Ａに示されるものと同じである。
【００６３】
符号化円偏光板において、リニア偏光板２４４，３４５は直交偏光を伝送するよう方位付けされ、１／４波遅延器２４８，３４９は各自の進相軸２４８Ｆ，３４９Ｆについて共通の方位を有するよう方位付けされる。
【００６４】
符号化偏光板の当該構成によると、視聴者３６０の３Ｄ眼鏡の左目部分３８１及び右目部分３７１のビューイングフィルタは、図２Ａのものと異なる方位を有することになる。左目ビューイングフィルタ３８１は、進相軸３８４Ｆを備えた１／４波遅延器３８４と偏光軸３８２Ｐを備えたリニア偏光板３８２とを有し、右目ビューイングフィルタ３７１は、進相軸３７４Ｆを備えた１／４波遅延器３７４と偏光軸３７２Ｐを備えたリニア偏光板３７２とを有する。進相軸３７４Ｆ，３８４Ｆは同一方向に方位付けされ、左目フィルタの偏光軸３８２Ｐは水平方向に方位付けされ、右目フィルタの偏光軸３７２Ｐは垂直方向に方位付けされる。
【００６５】
図２Ｂの構成は、システム２００と同様のクロストークが予想されるが、システム２００と比較して伝送結果を向上させる（すなわち、最小の変色）。
【００６６】
上記具体例がフィルムベースデュアルレンズ投射システムを参照して説明されたが、本発明の１以上の特徴は、左目画像及び右目画像を投射する２つの連係したプロジェクタやデジタル映画プロジェクタを備えたシステムを含む他の３Ｄ投射システムに適用可能であることが理解される。さらに、上述された各種特徴は、異なるアプリケーションについて適切であるときは単独で又は組み合わして利用可能である。
【００６７】
上記は本発明の各種実施例に関するものであるが、本発明の他の実施例は、その基本的な範囲から逸脱することなく考案されてもよい。従って、本発明の適切な範囲は、以下の請求項に従って決定されるべきである。
いくつかの態様を記載しておく。
〔態様１〕
右目画像と左目画像との３次元（３Ｄ）投射のためのシステムであって、
前記右目画像を伝送するため、少なくとも第１レンズ要素の前にある第１リニア偏光板であって、第１偏光軸方向を有する前記第１リニア偏光板と、
前記左目画像を伝送するため、少なくとも第２レンズ要素の前にある第２リニア偏光板であって、第２偏光軸方向を有する前記第２リニア偏光板と、
を有し、
前記第１及び第２リニア偏光板は、少なくとも前記第１及び第２レンズ要素に到達する光束を限定するよう構成されるシステム。
〔態様２〕
前記第１及び第２リニア偏光板は、反射型偏光板である、態様１記載のシステム。
〔態様３〕
前記第１及び第２レンズ要素のそれぞれに到達する光束は、前記第１及び第２リニア偏光板のそれぞれに入射する光束の量の約１／２である、態様１又は２記載のシステム。
〔態様４〕
前記第１レンズ要素の後にある第１出力フィルタ構成であって、第３リニア偏光板と第１の１／４波遅延器との少なくとも１つを有する前記第１出力フィルタ構成と、
前記第２レンズ要素の後にある第２出力フィルタ構成であって、第４リニア偏光板と第２の１／４波遅延器との少なくとも１つを有する前記第２出力フィルタ構成と、
をさらに有する、態様１乃至３何れか一項記載のシステム。
〔態様５〕
前記第３リニア偏光板は、前記第１偏光軸方向と実質的にパラレルな第３偏光軸方向を有し、
前記第４リニア偏光板は、前記第２偏光軸方向に実質的にパラレルな第４偏光軸方向を有する、態様４記載のシステム。
〔態様６〕
前記第３及び第４リニア偏光板は、吸収型偏光板である、態様４又は５記載のシステム。
〔態様７〕
前記第１及び第２リニア偏光板は、前記第１偏光軸方向が前記第２偏光軸方向に直交する又はパラレルである、という２つの構成の１つにおいて提供される、態様４乃至６何れか一項記載のシステム。
〔態様８〕
前記第１偏光軸方向は、前記第２偏光軸方向に直交する、態様１乃至６何れか一項記載のシステム。
〔態様９〕
少なくとも前記第１レンズ要素の後にある第１の１／４波遅延器と、
少なくとも前記第２レンズ要素の後にある第２の１／４波遅延器と、
をさらに有する、態様１乃至４何れか一項記載のシステム。
〔態様１０〕
前記第１偏光軸方向に関して、時計回りに４５°又は反時計回りに４５°の一方に方位付けされた第１進相軸を有する前記第１の１／４波遅延器と、
前記第２偏光軸方向に関して、時計回りに４５°又は反時計回りに４５°の他方に方位付けされた第２進相軸を有する前記第２の１／４波遅延器と、
をさらに有する、態様４乃至６及び９の何れか一項記載のシステム。
〔態様１１〕
当該システムは、リニア偏光された光又は円偏光された光の１つを用いて右目画像を投射するよう構成される、態様１乃至８何れか一項記載のシステム。
〔態様１２〕
当該システムは、前記第２偏光軸方向に直交する前記第１偏光軸方向によって、リニア偏光された光を用いて右目画像と左目画像とを投射するよう構成される、態様１乃至７何れか一項記載のシステム。
〔態様１３〕
当該システムは、時計回り又は反時計回りに円偏光された光の一方の光を用いて前記右目画像を投射し、時計回り又は反時計回りに円偏光された光の他方を用いて前記左目画像を投射するよう構成される、態様１乃至１２何れか一項記載のシステム。
〔態様１４〕
右目画像と左目画像との３次元（３Ｄ）投射のための方法であって、
第１リニア偏光板と、前記第１リニア偏光板の後に配置された少なくとも第１レンズ要素とを介し前記右目画像を伝送するステップと、
第２リニア偏光板と、前記第２リニア偏光板の後に配置された少なくとも第２レンズ要素とを介し前記左目画像を伝送するステップと、
を有し、
前記第１及び第２リニア偏光板は、各自の第１及び第２偏光軸方向により特徴付けされた光を伝送し、前記第１及び第２レンズ要素に到達する光束を限定するよう構成される方法。
〔態様１５〕
前記第１及び第２リニア偏光板は、反射型偏光板である、態様１４記載の方法。
〔態様１６〕
前記第１及び第２レンズ要素のそれぞれに到達する光束を、前記第１及び第２リニア偏光板のそれぞれに入射する光束の量の約１／２に限定するステップをさらに有する、態様１４又は１５記載の方法。
〔態様１７〕
前記第１レンズ要素の後にある第１出力フィルタ構成であって、第３リニア偏光板と第１の１／４波遅延器との少なくとも１つを有する前記第１出力フィルタ構成を介し前記右目画像を伝送するステップと、
前記第２レンズ要素の後にある第２出力フィルタ構成であって、第４リニア偏光板と第２の１／４波遅延器との少なくとも１つを有する前記第２出力フィルタ構成を介し前記左目画像を伝送するステップと、
をさらに有する、態様１４乃至１６何れか一項記載の方法。
〔態様１８〕
前記第１偏光軸方向により実質的に特徴付けされる光を伝送するため、前記第３リニア偏光板を方位付けするステップと、
前記第２偏光軸方向により実質的に特徴付けされる光を伝送するため、前記第４リニア偏光板を方位付けするステップと、
をさらに有する、態様１７記載の方法。
〔態様１９〕
前記第３及び第４リニア偏光板は、吸収型偏光板である、態様１７又は１８記載の方法。
〔態様２０〕
前記第１偏光軸方向が前記第２偏光軸方向に直交する又はパラレルである、という２つの構成の１つにおいて前記第１及び第２リニア偏光板を方位付けするステップをさらに有する、態様１７乃至１９何れか一項記載の方法。
〔態様２１〕
前記第２偏光軸方向に直交するよう前記第１偏光軸方向を提供するステップをさらに有する、態様１４乃至２０何れか一項記載の方法。
〔態様２２〕
少なくとも前記第１レンズ要素の後にある第１の１／４波遅延器を介し前記右目画像を伝送するステップと、
少なくとも前記第２レンズ要素の後にある第２の１／４波遅延器を介し前記左目画像を伝送するステップと、
をさらに有する、態様１４乃至１８何れか一項記載の方法。
〔態様２３〕
前記第１偏光軸方向に関して、時計回りに４５°又は反時計回りに４５°の一方に前記第１の１／４波遅延器の第１進相軸を方位付けするステップと、
前記第２偏光軸方向に関して、時計回りに４５°又は反時計回りに４５°の他方に前記第２の１／４波遅延器の第２進相軸を方位付けするステップと、
をさらに有する、態様１７乃至１９及び２２の何れか一項記載の方法。
〔態様２４〕
リニア偏光された光又は円偏光された光の１つを用いて右目画像を投射するステップをさらに有する、態様１４乃至２１何れか一項記載の方法。
〔態様２５〕
前記第２偏光軸方向に直交する前記第１偏光軸方向によって、リニア偏光された光を用いて右目画像と左目画像とを投射するステップをさらに有する、態様１４乃至２０何れか一項記載の方法。
〔態様２６〕
時計回り又は反時計回りに円偏光された光の一方の光を用いて前記右目画像を投射し、時計回り又は反時計回りに円偏光された光の他方を用いて前記左目画像を投射するステップをさらに有する、態様１４乃至２５何れか一項記載の方法。
【図１】
0005596153.tif 000002
【図２Ａ】
0005596153.tif 000003
【図２Ｂ】
0005596153.tif 000004